(57)【要約】【課題】  同じ素性のコンテンツを記録した光ディスクを持つ者同士であれば、一方の者がコンテンツを編集した場合に、他方の者がこの編集されたコンテンツを自由に視聴でき、簡単に一方の者が他方の者から編集したコンテンツの感想等を聞くことができる光ディスク装置を提供する。【解決手段】  光ディスク装置１は、一方の光ディスク１０から指定されたコンテンツに関連づけられているＵＤ−ＰＧＣを読み取り、このコンテンツと同じ素性であるコンテンツが記録された他方の光ディスクに記録する。これにより、同じ素性のコンテンツを記録した光ディスクを持つ者同士の間では、一方の者が編集したコンテンツを、他方の者に視聴させて、その感想を聞いたり、他方の者が一方の者により編集されたコンテンツを簡単に手に入れることができる。【選択図】  図１
2006331493.tif 000002
【特許請求の範囲】
【請求項１】
本体にセットされている光ディスクに記録されているコンテンツについて、オブジェクトの再生順序を変更する編集を受け付け、ここで受け付けたオブジェクトの再生順序の変更に基づく編集データを作成し、該光ディスクに記録する編集手段と、
光ディスクに記録されているコンテンツのオブジェクトを、このコンテンツの編集データに基づく順序で再生する再生手段と、を備えた光ディスク装置において、
本体にセットされた第１の光ディスクに記録されている指定されたコンテンツについて、その編集データを読み取る編集データ読取手段と、
本体にセットされた第２の光ディスクに、前記編集データ読取手段が編集データを読み取ったコンテンツと同じ素性のコンテンツが記録されているかどうかを判定する判定手段と、
前記判定手段により、前記第２の光ディスクに同じ素性のコンテンツが記録されていると判定された場合、前記編集データ読取手段で読み取った編集データを、前記判定手段により同じ素性であると判定されたコンテンツに対する編集データとして前記第２の光ディスクに記録する編集データ記録手段と、を備え、
前記判定手段は、前記第１の光ディスクに記録されている指定されたコンテンツに関連づけられている、このコンテンツの素性を示す素性データと、第２の光ディスクに記録されているコンテンツに関連づけられている、このコンテンツの素性を示す素性データと、を比較することで、前記第２の光ディスクに、前記編集データ読取手段が編集データを読み取ったコンテンツと同じ素性のコンテンツが記録されているかどうかを判定する手段であり、
また、コンテンツを光ディスクに記録する記録手段を備え、
前記記録手段は、本体にセットされている光ディスクに対するコンテンツを記録したときに、記録したコンテンツに関連づけて、このコンテンツの素性を示す前記素性データを光ディスクに記録する手段であり、且つ放送によるコンテンツを記録するときには、このコンテンツに対して放送チャンネル、記録開始日時、および記録終了日時を含む前記素性データを生成し、ここで生成した素性データを、このコンテンツに関連づけて光ディスクに記録する手段である光ディスク装置。
【請求項２】
本体にセットされている光ディスクに記録されているコンテンツについて、オブジェクトの再生順序を変更する編集を受け付け、ここで受け付けたオブジェクトの再生順序の変更に基づく編集データを作成し、該光ディスクに記録する編集手段と、
光ディスクに記録されているコンテンツのオブジェクトを、このコンテンツの編集データに基づく順序で再生する再生手段と、を備えた光ディスク装置において、
本体にセットされた第１の光ディスクに記録されている指定されたコンテンツについて、その編集データを読み取る編集データ読取手段と、
本体にセットされた第２の光ディスクに、前記編集データ読取手段が編集データを読み取ったコンテンツと同じ素性のコンテンツが記録されているかどうかを判定する判定手段と、
前記判定手段により、前記第２の光ディスクに同じ素性のコンテンツが記録されていると判定された場合、前記編集データ読取手段で読み取った編集データを、前記判定手段により同じ素性であると判定されたコンテンツに対する編集データとして前記第２の光ディスクに記録する編集データ記録手段と、を備えた光ディスク装置。
【請求項３】
前記判定手段は、前記第１の光ディスクに記録されている指定されたコンテンツに関連づけられている、このコンテンツの素性を示す素性データと、第２の光ディスクに記録されているコンテンツに関連づけられている、このコンテンツの素性を示す素性データと、を比較することで、前記第２の光ディスクに、前記編集データ読取手段が編集データを読み取ったコンテンツと同じ素性のコンテンツが記録されているかどうかを判定する手段である請求項２に記載の光ディスク装置。
【請求項４】
コンテンツを光ディスクに記録する記録手段を備え、
前記記録手段は、本体にセットされている光ディスクに対するコンテンツを記録したときに、記録したコンテンツに関連づけて、このコンテンツの素性を示す前記素性データを光ディスクに記録する手段である請求項３に記載の光ディスク装置。
【請求項５】
前記記録手段は、放送によるコンテンツを記録するときには、このコンテンツに対して放送チャンネル、記録開始日時、および記録終了日時を含む前記素性データを生成し、ここで生成した素性データを、このコンテンツに関連づけて光ディスクに記録する手段である請求項４に記載の光ディスク装置。
【発明の詳細な説明】
【技術分野】
【０００１】
この発明は、ＤＶＤ等の光ディスクに記録されているコンテンツについて、再生時におけるオブジェクトの再生順序を変更する編集が行える光ディスク装置に関する。
【背景技術】
【０００２】
従来、ＤＶＤ等の光ディスクに記録されているコンテンツについて、ユーザが自分の好みに応じて、再生時におけるオブジェクトの再生順序を変更する編集が行える機能、所謂編集機能、を備えた光ディスク装置が実用化され、一般に普及している（例えば、特許文献１参照）。光ディスク装置は、外部から入力されたコンテンツを光ディスクに記録したとき、記録したコンテンツの再生時におけるオブジェクトの再生順序を、光ディスクに記録した順序とするＰＧＣ（Ｐｒｏｇｒａｍ  Ｃｈａｉｎ）を生成し、ここで生成したＰＧＣを今回コンテンツを記録した光ディスクに記録している。光ディスクに記録されたコンテンツと、ＰＧＣと、は関連づけられている。ＰＧＣは、光ディスクに記録されているコンテンツを構成するオブジェクトの再生順序を示すデータである。コンテンツの記録時に生成されるＰＧＣ、すなわちコンテンツの再生時におけるオブジェクトの再生順序を光ディスクに記録した順序とするＰＧＣ、を以下ＯＲＧ−ＰＧＣと言う。ＯＲＧ−ＰＧＣは、光ディスクに記録されている対応するコンテンツを示す番号、そのコンテンツの先頭のオブジェクトを再生開始位置に指定する開始位置情報、およびそのコンテンツの後端のオブジェクトを再生終了位置に指定する終了位置情報を含む１つのセルで構成されている。このセルは、コンテンツのどの部分から、どの部分までを連続して再生するかを示すデータである。
【０００３】
ユーザは、コンテンツを構成するオブジェクトについて、コンテンツのどの部分のオブジェクトから、どの部分のオブジェクトまでを連続して再生するかを指定し、この指定した部分の再生が完了すると、次にコンテンツのどの部分のオブジェクトから、どの部分のオブジェクトまでを連続して再生するかを指定する操作を繰り返すことによりコンテンツの編集を行う。簡単に言うと、ユーザは、コンテンツにおいて、再生するオブジェクトの範囲を指定する操作を繰り返すことで、コンテンツの編集を行う。光ディスク装置は、再生するオブジェクトの範囲が指定される毎に、その範囲に対応するセルを作成し、ユーザによるコンテンツの編集にかかる操作が完了したときに、セルを作成した順番に並べたＰＧＣ（以下、このＵＤ−ＰＧＣと言う。）を作成する。そして、光ディスク装置は、今回作成したＵＤ−ＰＧＣを、今回編集したコンテンツが記録されている光ディスクに記録する。ＵＤ−ＰＧＣは、今回編集したコンテンツに関連づけて記録される。
【０００４】
光ディスク装置は、コンテンツの再生時に、再生するコンテンツに関連づけられているＵＤ−ＰＧＣを構成する先頭のセルから順番に、そのセルで指定されている範囲のオブジェクトを再生する。したがって、コンテンツの再生においては、ユーザが編集した順番にオブジェクトが再生される。すなわち、ユーザは、コンテンツを構成するオブジェクトが自分の好みに応じた順番に再生されるように、コンテンツを編集することができる。
【特許文献１】特開２００４−１５２３５１号公報
【発明の開示】
【発明が解決しようとする課題】
【０００５】
しかしながら、ある人（以下、Ａ氏と言う。）が光ディスクに記録されているコンテンツを編集した場合に、この編集したコンテンツを他人に視聴させて感想を聞いたりするときに著作権を侵害することがある。具体的には、コンテンツの著作権の所有者がＡ氏以外の者である場合、編集したコンテンツが記録されている光ディスクを他人に渡したり、編集したコンテンツ（コンテンツとＵＤ−ＰＧＣ）とをコピーした別の光ディスクを他人に渡す行為が著作権を侵害する。したがって、コンテンツを編集したＡ氏以外の者は、編集されたコンテンツ（コンテンツとＵＤ−ＰＧＣ）を自由に視聴することができない。このため、コンテンツを編集したＡ氏は、そのコンテンツの著作権の所有者でない場合、編集したコンテンツを他人に視聴させてその感想を聞いたりすることが困難であった。これは、同じ素性のコンテンツを記録した光ディスクを持つ者同士であっても、例えば放送されていた番組Ｘを光ディスクに記録した者同士であっても、同じである。
【０００６】
なお、ここで言う、同じ素性のコンテンツを記録した光ディスクとは、光ディスクに記録されているコンテンツのデータが完全に同じであるという意味ではなく、記録されているコンテンツが同じ番組であったり、同じ映画であるという意味である。
【０００７】
この発明の目的は、同じ素性のコンテンツを記録した光ディスクを持つ者同士であれば、一方の者がコンテンツを編集した場合に、他方の者がこの編集されたコンテンツを自由に視聴でき、簡単に一方の者が他方の者から編集したコンテンツの感想等を聞くことができる光ディスク装置を提供することにある。
【課題を解決するための手段】
【０００８】
この発明の光ディスク装置は、上記課題を解決するために以下の構成を備えている。
【０００９】
（１）本体にセットされている光ディスクに記録されているコンテンツについて、オブジェクトの再生順序を変更する編集を受け付け、ここで受け付けたオブジェクトの再生順序の変更に基づく編集データを作成し、該光ディスクに記録する編集手段と、
光ディスクに記録されているコンテンツのオブジェクトを、このコンテンツの編集データに基づく順序で再生する再生手段と、を備えた光ディスク装置において、
本体にセットされた第１の光ディスクに記録されている指定されたコンテンツについて、その編集データを読み取る編集データ読取手段と、
本体にセットされた第２の光ディスクに、前記編集データ読取手段が編集データを読み取ったコンテンツと同じ素性のコンテンツが記録されているかどうかを判定する判定手段と、
前記判定手段により、前記第２の光ディスクに同じ素性のコンテンツが記録されていると判定された場合、前記編集データ読取手段で読み取った編集データを、前記判定手段により同じ素性であると判定されたコンテンツに対する編集データとして前記第２の光ディスクに記録する編集データ記録手段と、を備えている。
【００１０】
この構成では、編集データ読取手段が本体にセットされている第１の光ディスクに記録されているコンテンツの中から、指定されたコンテンツの編集データを読み取る。ここで読み取られる編集データは、例えばこの第１の光ディスクの所有者が指定されたコンテンツに対して、このコンテンツのオブジェクトが自分の好みに応じた順序で再生されるように編集したときに生成された編集データ（ＵＤ−ＰＧＣ）である。判定手段は、本体にセットされている第２の光ディスクに、編集データ読取手段が編集データを読み取ったコンテンツと同じ素性のコンテンツが記録されているかどうかを判定する。第１の光ディスクと、第２の光ディスクとは、本体に同時にセットできる構成であってもよいし、どちらか一方の光ディスクしかセットできない構成であってもよい。どちらか、一方の光ディスクしかセットできない構成であれば、第１の光ディスクに対して処理を行うときに、この第１の光ディスクを本体にセットさせ、第２の光ディスクに対して処理を行うときに、第２の光ディスクを本体にセットさせるようにすればよい。
【００１１】
そして、編集データ記録手段が、判定手段により編集データ読取手段が第１の光ディスクから編集データを読み取ったコンテンツと、同じ素性のコンテンツが第２の光ディスクに記録されていると判定すると、編集データ読取手段が第１の光ディスクから読み取った編集データを、前記判定手段により同じ素性であると判定されたコンテンツに対する編集データとして前記第２の光ディスクに記録する。これにより、第２の光ディスクに記録されている、今回編集データが記録されたコンテンツについては、この編集データに基づいて再生することができる。したがって、同じ素性のコンテンツを記録した光ディスクを持つ者同士の間であれば、一方の者（第１の光ディスクの所有者）が編集したコンテンツを、他方の者（第２の光ディスクの所有者）に自由に視聴させることができ、その感想を簡単に聞くことができる。また、第１の光ディスクから第２の光ディスクへ、コンテンツ本体をコピーする構成ではないので、第１、および第２の光ディスクの所有者がコンテンツ本体の著作権の所有者でなくても、著作権を侵害することがない。さらに、第１の光ディスクから第２の光ディスクへ、編集データを記録するだけであるので、処理時間が長くなって、ユーザの使い勝手を低下させるという問題も生じない。
【００１２】
なお、ここで言う、同じ素性のコンテンツを記録した光ディスクとは、光ディスクに記録されているコンテンツのデータが完全に同じであるという意味ではなく、記録されているコンテンツが同じ番組であったり、同じ映画であるという意味である。
【００１３】
（２）前記判定手段は、前記第１の光ディスクに記録されている指定されたコンテンツに関連づけられている、このコンテンツの素性を示す素性データと、第２の光ディスクに記録されているコンテンツに関連づけられている、このコンテンツの素性を示す素性データと、を比較することで、前記第２の光ディスクに、前記編集データ読取手段が編集データを読み取ったコンテンツと同じ素性のコンテンツが記録されているかどうかを判定する手段である。
【００１４】
この構成では、光ディスクに記録されているコンテンツに関連づけられている、このコンテンツの素性を示す素性データを比較することにより、第１の光ディスクに記録されている指定されたコンテンツと、同じ素性のコンテンツが第２の光ディスクに記録されているかどうかが判定される。
【００１５】
（３）コンテンツを光ディスクに記録する記録手段を備え、
前記記録手段は、本体にセットされている光ディスクに対するコンテンツを記録したときに、記録したコンテンツに関連づけて、このコンテンツの素性を示す前記素性データを光ディスクに記録する手段である。
【００１６】
この構成では、記録手段により、コンテンツが光ディスクに記録されたときに、この記録したコンテンツに関連づけて、このコンテンツの素性を示す素性データが光ディスクに記録される。
【００１７】
（４）前記記録手段は、放送によるコンテンツを記録するときには、このコンテンツに対して放送チャンネル、記録開始日時、および記録終了日時を含む前記素性データを生成し、ここで生成した素性データを、このコンテンツに関連づけて光ディスクに記録する手段である。
【００１８】
この構成では、放送によるコンテンツを記録したときには、このコンテンツに対して放送チャンネル、記録開始日時、および記録終了日時を含む前記素性データが光ディスクに記録される。
【発明の効果】
【００１９】
この発明によれば、同じ素性のコンテンツを記録した光ディスクを持つ者同士の間であれば、一方の者が編集したコンテンツを、他方の者に自由に視聴させることができ、その感想を簡単に聞くことができる。また、コンテンツ本体については、第１の光ディスクから第２の光ディスクへコピーしないので、第１、および第２の光ディスクの所有者がコンテンツ本体の著作権の所有者でなくても、著作権を侵害することがない。さらに、第１の光ディスクから第２の光ディスクへ、編集データを記録するだけであるので、処理時間が長くなって、ユーザの使い勝手を低下させるという問題も生じない。
【発明を実施するための最良の形態】
【００２０】
以下、この発明の実施形態である光ディスク装置について説明する。
【００２１】
図１は、この発明の実施形態である光ディスク装置の主要部の構成を示すブロック図である。光ディスク装置１は、本体の動作を制御する制御部２と、本体にセットされているＤＶＤ等の光ディスク１０にコンテンツ等のデータを記録したり、光ディスク１０に記録されているコンテンツ等のデータを読み取る記録／読取部３と、記録／読取部３に対して光ディスク１０に記録するデータを与える記録データ処理部４と、記録／読取部３が光ディスク１０から読み取ったデータを処理する読取データ処理部５と、読取データ処理部５で処理された読取データに基づく再生信号を生成し、出力する再生部６と、外部からコンテンツが入力される入力部７と、装置本体に対する入力操作を受け付ける操作部８と、を備えている。この実施形態の光ディスク装置１は、本体にセットされている光ディスク１０に対するコンテンツの記録、光ディスク１０に記録されているコンテンツの再生、および光ディスク１０に記録されているコンテンツについて、そのコンテンツを構成するオブジェクトの再生順序を変更するコンテンツの編集等が行える。記録／読取部３は、公知のピックアップヘッドを有する構成である。入力部７は、テレビ等の放送によるコンテンツや、図示していない外部機器、例えば別の光ディスク装置、からコンテンツの入力を受け付ける。入力部７には、アナログ信号のコンテンツの入力を受け付けるアナログ入力部と、ディジタル信号のコンテンツの入力を受け付けるディジタル入力部とを有している。また、選択されているチャンネルの放送信号を受信する公知のチューナを有している。入力部７は、入力されているコンテンツを記録データ処理部４に入力する。記録データ処理部４は、入力部７からアナログ信号のコンテンツが入力されている場合、入力されているアナログ信号に基づいてコンテンツのディジタルデータを生成するとともに、このディジタルデータをエンコードする。また、入力部７からディジタル信号のコンテンツが入力されている場合、入力されているコンテンツのデータがエンコードされていないデータであれば、このデータをエンコードし、エンコードされているデータであればそのまま出力する。すなわち、記録データ処理部４は、入力部７に入力されているコンテンツについて、そのコンテンツのエンコードされたデータを出力する。記録データ処理部４が出力したコンテンツのエンコードされたデータは記録／読取部３に入力される。
【００２２】
記録／読取部３は、記録データ処理部４から入力されているコンテンツのエンコードされたデータに基づいて光ディスク１０にレーザ光を照射し、コンテンツのストリームデータ（映像、音声等）を光ディスク１０に記録する。また、記録／読取部３は、光ディスク１０に記録したコンテンツに関連づけて、このコンテンツの素性を示す素性データや、コンテンツを構成するオブジェクトの再生順序を指定するＰＧＣ（Ｐｒｏｇｒａｍ  Ｃｈａｉｎ）等を光ディスク１０に記録する。この素性データや、ＰＧＣは、制御部２からの指示にしたがって、光ディスク１０に記録する。また、記録／読取部３は、本体にセットされている光ディスク１０に記録されているコンテンツのストリームデータをピックアップヘッドで読み取る。読取部３は、光ディスク１０から読み取ったコンテンツのストリームデータを読取データ処理部５に入力する。読取データ処理部５は、記録／読取部３から入力されているストリームデータを、映像データ、および音声データに分離するとともに、分離した映像データおよび音声データをデコードする。読取データ処理部５がデコードした映像データ、および音声データは、再生部６に入力される。再生部６は、入力されている映像データ、および音声データを処理し、映像信号および音声信号を出力する。再生部６から出力された映像信号は、装置本体に接続されている表示装置１１に入力される。この表示装置１１において、再生されたコンテンツの映像が表示される。また、再生部６から出力された音声信号は、装置本体に接続されているスピーカ１２に入力される。このスピーカ１２から再生されたコンテンツの音声が出力される。
【００２３】
また、操作部８は、装置本体に対して入力操作を行う操作キーや、図示していないリモコン装置から送信されてきた装置本体に対する制御コマンドを受信するリモコン受信部を有している。操作部８は、操作キーが操作されたときに、操作された操作キーに応じた制御コマンドを制御部２に通知する。また、図示していないリモコン装置から装置本体に対する制御コマンドを受信すると、受信した制御コマンドを制御部２に通知する。制御部２は、操作部８からの通知された制御コマンドに応じて、装置本体の動作を制御する。
【００２４】
以下、この発明の実施形態である光ディスク装置１の動作について説明する。図２は、この発明の実施形態である光ディスク装置におけるコンテンツの記録処理を示すフローチャートである。光ディスク装置１は、コンテンツの記録開始タイミングになると、図２に示す処理を実行する。光ディスク装置１は、放送によるコンテンツの録画予約がされている場合に、その録画予約の録画開始時刻になったときや、操作部８に設けられている録画キーが操作されたとき、さらには操作部８においてリモコン装置から送信されてきた録画開始を指示する制御コマンドを受信したときに、コンテンツの記録開始タイミングになったと判断し、図２に示す記録処理を開始する。
【００２５】
光ディスク装置１は、本体にセットされている光ディスク１０に対するコンテンツの記録を開始する（ｓ１）。光ディスク１０に記録するコンテンツは、入力部７に入力されているコンテンツである。ｓ１では、光ディスク装置１は、記録データ処理部４が入力部７に入力されているコンテンツのエンコードデータを出力し、記録／読取部３がこのエンコードデータに基づいてコンテンツのストリームデータを光ディスク１０に記録する処理を開始する。
【００２６】
光ディスク装置１は、光ディスク１０へのコンテンツの記録開始すると、このコンテンツの記録終了タイミングになるのを待つ（ｓ２）。光ディスク装置１は、放送によるコンテンツの録画予約の録画終了時刻になったときや、操作部８に設けられている録画停止キーが操作されたとき、さらには操作部８においてリモコン装置から送信されてきた録画停止を指示する制御コマンドを受信したときに、コンテンツの記録終了タイミングになったと判断する。光ディスク装置１は、ｓ２でコンテンツの記録終了タイミングになったと判定すると、ｓ１で開始した光ディスク１０へのコンテンツの記録を停止する（ｓ３）。また、今回記録したコンテンツについて、このコンテンツを構成するオブジェクトを光ディスク１０に記録した順番に再生することを指示するＰＧＣ（以下、これをＯＲＧ−ＰＧＣと言う。）を生成し（ｓ４）、ここで生成したＯＲＧ−ＰＧＣを今回記録したコンテンツに関連づけて光ディスク１０に記録する（ｓ５）。このＯＲＧ−ＰＧＣは、公知のように、光ディスク１０に記録されている対応するコンテンツ（今回記録したコンテンツ）を示す番号、このコンテンツの先頭のオブジェクトを再生開始位置に指定する開始位置情報、およびこのコンテンツの後端のオブジェクトを再生終了位置に指定する終了位置情報を含む１つのセルで構成されている。このセルは、コンテンツのどの部分から、どの部分までのオブジェクトを連続して再生するかを指示するものである。
【００２７】
さらに、光ディスク装置１は、今回記録したコンテンツについて、その素性を示す素性データを生成する（ｓ６）。ｓ６では、今回記録したコンテンツが放送によるコンテンツであれば、このコンテンツが放送されていた放送チャンネル、今回のコンテンツの記録開始日時、および記録終了日時を含む素性データを生成する。一方、今回記録したコンテンツが放送によるコンテンツでなければ、そのコンテンツのタイトルを含む素性データを生成する。このタイトルについては、ユーザに入力させてもよいし、今回記録したコンテンツを入力部７に入力した機器から取得するようにしてもよい。光ディスク装置１は、ｓ６で生成した素性データを、今回記録したコンテンツに関連づけて光ディスク１０に記録し（ｓ７）、本処理を終了する。
【００２８】
これにより、光ディスク１０には、図３に示すように、今回記録したコンテンツのストリームデータ（映像、および音声）であるＶＯＢ，このＶＯＢに関連づけられたＯＲＧ−ＰＧＣ、および素性データが記録される。ＯＲＧ−ＰＧＣは、上述したように、１つセルで構成され、このセルには対応するコンテンツを示す番号、そのコンテンツの先頭のオブジェクトを再生開始位置に指定する開始位置情報、およびそのコンテンツの後端のオブジェクトを再生終了位置に指定する終了位置情報が含まれている。
【００２９】
なお、光ディスク１０にコンテンツを記録する毎に、図３に示すＶＯＢおよび，このＶＯＢに関連づけられたＯＲＧ−ＰＧＣ、および素性データが、この光ディスク１０に記録される。また、上記の説明では省略したが、光ディスク１０の管理領域には、今回記録したコンテンツの管理情報等も記録される。
【００３０】
次に、この発明の実施形態である光ディスク装置１における編集処理について説明する。図４は、この発明の実施形態である光ディスク装置の編集処理を示すフローチャートである。光ディスク１は、操作部８に設けられている編集開始キーが操作されたとき、または図示していないリモコン装置から編集開始を要求する制御コマンドを受信したときに、この編集処理を開始する。光ディスク装置１は、本体にセットされている光ディスク１０に記録されているコンテンツの中から、編集するコンテンツの選択入力を受け付ける（ｓ１１）。このとき、ユーザは編集するコンテンツを操作部８に設けられている操作キーや、リモコン装置を装置して編集するコンテンツを選択する入力操作を行う。
【００３１】
光ディスク装置１は、ｓ１１で編集するコンテンツの選択を受け付けると、ここで選択されたコンテンツに対する編集操作を受け付ける（ｓ１２）。ユーザは、選択したコンテンツについて、このコンテンツを構成するオブジェクトの再生順序を自分の好みに応じて変更する編集を行う。具体的には、ユーザは、コンテンツを構成するオブジェクトについて、再生する順番に、コンテンツのどの部分から、どの部分までのオブジェクトを再生するかを指定する操作を行う。光ディスク装置１は、コンテンツのどの部分から、どの部分までのオブジェクトを再生するかが指定される毎に、その指定に応じたセルを生成する（ｓ１３）。また、光ディスク装置１は、生成したセルを生成した順番に制御部２に設けられているメモリに記憶する。
【００３２】
光ディスク装置１は、装置本体に対して編集中のコンテンツに対する編集終了にかかる入力があるまで（ｓ１４）、ｓ１２、ｓ１３にかかる処理を繰り返す。光ディスク装置１は、ｓ１４で編集中のコンテンツに対する編集終了にかかる入力があったと判定すると、ｓ１２で受け付けたユーザの編集操作に対して作成したセルを、作成した順番に並べたＰＧＣ（以下、ＵＤ−ＰＧＣと言う。）を光ディスク１０に記録し（ｓ１５）、本処理を終了する。ｓ１５では、今回編集したコンテンツに関連づけて、今回生成したＵＤ−ＰＧＣを光ディスク１０に記録する。
【００３３】
ユーザが編集したコンテンツについては、図５に示すように光ディスク１０にＵＤ−ＰＧＣが関連づけて記録される。なお、図５に示すＶＯＢ、素性データ、およびＯＲＧ−ＰＧＣは、このコンテンツの記録時に光ディスク１０に記録されたものである。すなわち、図３に示すコンテンツが編集された場合に、図５に示すように、このコンテンツに対してＵＤ−ＰＧＣが追加される。
【００３４】
ここで、ＵＤ−ＰＧＣが関連づけられているコンテンツの再生について、簡単に説明しておく。光ディスク装置１は、記録／読取部３において、ＵＤ−ＰＧＣの先頭のセルから順番に、そのセルが指示するオブジェクトの再生開始位置から、再生終了位置までのストリームデータを光ディスク１０から読み取る処理を繰り返す。読取データ処理部５には、記録／読取部３が光ディスク１０から読み取った順番にコンテンツのストリームデータが入力される。読取データ処理部５は、記録／読取部３から入力されるコンテンツのストリームデータを処理し、映像データおよび音声データを出力する。再生部６は、読取データ処理部５から出力された順番に、映像データに基づく映像信号、および音声信号を出力する。
【００３５】
したがって、表示装置１１では、ユーザが上述した編集処理で編集した順番にコンテンツのオブジェクトの映像が表示され、スピーカ１２からはユーザが上述した編集処理で編集した順番にコンテンツのオブジェクトの音声が出力される。すなわち、ユーザは上述した編集処理で編集した順番にオブジェクトが再生されているコンテンツを視聴することができる。
【００３６】
さらに、この実施形態の光ディスク装置１は、同じ素性のコンテンツが記録されている２つの光ディスク１０間において、一方の光ディスク１０に記録されているコンテンツに関連づけられているＵＤ−ＰＧＣを修正し、修正したＵＤ−ＰＧＣを他方の光ディスク１０に記録されている同じ素性のコンテンツに関連づけて記録する編集データ記録処理が行える。このとき、一方の光ディスク１０に記録されているＵＤ−ＰＧＣについては更新することはない。図６は、この実施形態の光ディスク装置の編集データ記録処理を示すフローチャートである。
【００３７】
なお、ここで言う、同じ素性のコンテンツとは、光ディスク１０に記録されているコンテンツのストリームデータが同一であるという意味ではなく、記録されているコンテンツが同じ番組であったり、同じ映画であるという意味である。
【００３８】
光ディスク装置１は、操作部８に設けられている編集データ記録実行キーが操作されたときや、リモコン装置から編集データ記録処理の実行を要求する制御コマンドを受信したときに、この図６に示す編集データ記録処理を実行する。まず、光ディスク装置１は、本体にセットされている一方の光ディスク１０に記録されているコンテンツの中から、今回の編集データ記録処理の対象にするコンテンツの選択を受け付ける（ｓ２１）。ユーザは、この時点で本体にセットされている一方の光ディスク１０に記録されているコンテンツの中から、そのＵＤ−ＰＤＣを他方の光ディスク１０に記録するコンテンツを選択する入力操作を行う。光ディスク装置１は、ｓ２１で編集データ記録処理の対象にするコンテンツの選択を受け付けると、ここで選択されたコンテンツに関連づけられているＵＤ−ＰＧＣ、および素性データを、本体にセットされている一方の光ディスク１０から読み取る（ｓ２２）（図７（Ａ）参照）。ｓ２２で読み取ったＵＤ−ＰＧＣ、および素性データは、制御部２のメモリに一時的に記憶される。
【００３９】
光ディスク装置１は、ｓ２２で今回選択されたコンテンツに関連づけられているＵＤ−ＰＧＣ、および素性データを一方の光ディスク１０から読み取ると、本体にセットされている一方の光ディスク１０を排出し（ｓ２３）、他方の光ディスク１０が本体にセットされるのを待つ（ｓ２４）。ユーザは、ｓ２３で排出された一方の光ディスク１０を取り、今回選択したコンテンツと同じ素性のコンテンツが記録された他方の光ディスク１０を本体にセットする。光ディスク装置１は、他方の光ディスク１０が本体にセットされると、この他方の光ディスク１０に記録されているコンテンツの中に、ｓ２２で読み取ったＵＤ−ＰＧＣが関連づけられていたコンテンツと同じ素性のコンテンツがあるかどうかを判定する（ｓ２５）。ｓ２５では、この時点で本体にセットされている他方の光ディスク１０に記録されているコンテンツの中に、ｓ２２で読み取った素性データと同じ素性データが関連づけられているコンテンツがあるかどうかを検索し、この検索結果に基づいてｓ２２で読み取ったＵＤ−ＰＧＣが関連づけられていたコンテンツと同じ素性のコンテンツがあるかどうかを判定する（図７（Ｂ）参照）。
【００４０】
光ディスク装置１は、ｓ２５で他方の光ディスク１０に記録されているコンテンツの中に、ｓ２２で読み取ったＵＤ−ＰＧＣが関連づけられていたコンテンツと同じ素性のコンテンツがないと判定すると、エラー処理を行って（ｓ２６）、本処理を終了する。ｓ２６では、例えば再生部６から、「光ディスク１０に同じ素性のコンテンツが記録されていません。ご確認ください。」等のメッセージを表示するＯＳＤ画像を出力する。このＯＳＤ画像は、表示装置１１において表示される。
【００４１】
光ディスク装置１は、ｓ２５で他方の光ディスク１０に記録されているコンテンツの中に、ｓ２２で読み取ったＵＤ−ＰＧＣが関連づけられていたコンテンツと同じ素性のコンテンツがあると判定すると、ｓ２２で一方の光ディスク１０から読み取ったＵＤ−ＰＧＣを、今回同じ素性であると判定したコンテンツに対応するように修正する（ｓ２７）。上述したように、ＵＤ−ＰＧＣを構成する各セルには、対応するコンテンツを示す番号が含まれている。この対応するコンテンツを示す番号は、光ディスク１０における記録されているコンテンツを示す番号であることから、一方の光ディスク１０と、他方の光ディスク１０とで、異なる場合がある。ｓ２７では、ｓ２２で読み出したＵＤ−ＰＧＣのセル毎に、対応するコンテンツを示す番号を、他方の光ディスク１０に記録されているコンテンツ（ｓ２５で同じ素性であると判定されたコンテンツ）に対応する番号に変更する修正を行う。光ディスク装置１は、ｓ２７で修正したＵＤ−ＰＧＣを、ｓ２５で同じ素性であると判定したコンテンツに関連づけて、他方の光ディスク１０に記録し（ｓ２８）、本処理を終了する（図７（Ｃ）参照）。
【００４２】
このように、同じ素性のコンテンツが記録されている２つの光ディスク１０間で、一方の光ディスク１０に記録されているＵＤ−ＰＧＣを、他方の光ディスク１０に記録されている同じ素性のコンテンツに関連づけて記録することができる。したがって、あるユーザ（以下、Ａ氏と言う。）が、一方の光ディスク１０に記録されているコンテンツに対して編集を行った場合に、別の者（以下、Ｂ氏と言う。）が、Ａ氏が編集したコンテンツと同じ素性のコンテンツを記録した別の光ディスク１０（他方の光ディスク１０）を所有していれば、上述した編集データ記録処理を行うことで、Ｂ氏は、自分が所有する他方の光ディスク１０に記録されているコンテンツを再生することで、Ａ氏により編集されたコンテンツを視聴することができる。すなわち、同じ素性のコンテンツを記録した光ディスク１０を持つ者同士の間であれば、一方の者が編集したコンテンツを、他方の者に自由に視聴させることができ、その感想を簡単に聞くことができる。また、コンテンツ本体については、一方の光ディスク１０から他方の光ディスク１０へコピーしないので、これらの光ディスク１０の所有者がコンテンツ本体の著作権の所有者でなくても、コンテンツの著作権を侵害することがない。さらに、上述の変種データ記録処理では、一方の光ディスク１０から他方の光ディスク１０へ、ＵＤ−ＰＧＣを記録するだけであるので、処理時間が長くなって、ユーザの使い勝手を低下させるという問題も生じない。
【００４３】
また、他方の光ディスク１０に同じ素性のコンテンツが記録されていなければ、ｓ２６でエラー処理を行うようにしているので、異なる素性のコンテンツ間で一方のコンテンツに関連づけられているＵＤ−ＰＧＣが、素性の異なる他方のコンテンツに対するＵＤ−ＰＧＣとして記録されるという事態も生じない。また、コンテンツの記録時に、記録したコンテンツの素性を示す素性データを記録するようにしているので、２つの光ディスク１０に記録されているコンテンツが同じ素性であるかどうかの判定も簡単、且つ高精度に行える。
【００４４】
また、上記実施形態では、装置本体にセット可能な光ディスク１０が１枚である装置を例にして説明したが、装置本体に複数枚の光ディスク１０が同時にセットできる構成の装置であっても、本願発明を適用することができる。
【図面の簡単な説明】
【００４５】
【図１】この発明の実施形態である光ディスク装置の主要部の構成を示すブロック図である。
【図２】この発明の実施形態である光ディスク装置におけるコンテンツの記録処理を示すフローチャートである。
【図３】コンテンツの記録により、光ディスクに記録されるデータを説明する図である。
【図４】この発明の実施形態である光ディスク装置の編集処理を示すフローチャートである。
【図５】コンテンツの記録により、光ディスクに記録されるデータを説明する図である。
【図６】この実施形態の光ディスク装置における編集データ記録処理を示すフローチャートである。
【図７】この実施形態の光ディスク装置における編集データ記録処理の流れを説明する図である。
【符号の説明】
【００４６】
１−光ディスク装置
２−制御部
３−記録／読取部
４−記録データ処理部
５−読取データ処理部
６−再生部
７−入力部
８−操作部
【図１】
2006331493.tif 000003
【図２】
2006331493.tif 000004
【図３】
2006331493.tif 000005
【図４】
2006331493.tif 000006
【図５】
2006331493.tif 000007
【図６】
2006331493.tif 000008
【図７】
2006331493.tif 000009